(57)【要約】【課題】本発明は、操作の必要な各部に貼られている各デカルに対応する詳細なデカル情報を出力して操作性を向上させる電子機器に関する。【解決手段】画像形成装置１は、ユーザが操作する必要のある箇所に簡単な絵や文字で操作情報を示す表示ラベル３１毎に設けられた温度センサ１８、圧力センサ１９及び赤外線センサ２０のデカル部３０が、当該表示ラベル３１付近への人体の接近や人体の接触を検知すると、当該人体を検知したデカル部３０の設けられているデカルに対応するデカル詳細情報を、操作部３のディスプレイへ表示出力し、また、スピーカから音声出力するデカル情報出力処理を実行している。したがって、操作を行うべき位置付近に貼付されている表示ラベル３１付近にユーザが手等を近づけたり接触させたりするだけで、当該表示ラベル３１の詳細情報を表示出力／音声出力することができる。【選択図】          図１
2006030359.tif 000002
【特許請求の範囲】
【請求項１】
ユーザが操作する必要のある箇所に簡単な絵あるいは／及び文字で操作情報を示すデカルの貼付される電子機器において、デカルの詳細情報を表示する表示手段と、デカルの詳細情報を音声出力する音声ガイダンス手段と、を備え、前記各デカル毎に、当該デカル付近への人体の接近または／及び当該デカルへの人体の接触を検知する人体検知手段が設けられ、前記人体検知手段が人体を検出すると、当該人体を検知した人体検知手段の設けられている前記デカルに対応する前記デカル詳細情報を、前記表示手段及び／または前記音声ガイダンス手段から出力するデカル情報出力処理を実行することを特徴とする電子機器。
【請求項２】
前記電子機器は、前記音声ガイダンス手段によるデカル詳細情報の音声出力機能の有効／無効を選択する音声ガイダンス選択手段を備え、当該音声ガイダンス選択手段で有効が選択されているときにのみ、当該音声ガイダンス手段によるデカル詳細情報の音声出力を行うことを特徴とする請求項１記載する電子機器。
【請求項３】
前記電子機器は、用紙に画像を形成出力する画像形成装置であり、高温・高圧・清掃等のユーザに操作上の注意を促すデカル及び用紙ジャム解除を行うためのジャム解除レバーの操作位置を指示するデカルのデカル詳細情報については、前記表示手段及び前記音声ガイダンス手段の双方から出力することを特徴とする請求項１または請求項２記載の電子機器。
【請求項４】
前記デカルは、絵情報を主体とするデカルであることを特徴とする請求項１から請求項３のいずれかに記載の電子機器。
【請求項５】
前記電子機器は、前記デカル情報出力処理機能の有効／無効を選択する選択手段を備え、当該選択手段での選択に応じて前記デカル情報出力処理の実行／非実行を制御することを特徴とする請求項１から請求項４のいずれかに記載する電子機器。
【発明の詳細な説明】
【技術分野】
【０００１】
本発明は、電子機器に関し、詳細には、操作の必要な各部に貼られている各デカルに対応する詳細なデカル情報を出力して、操作性を向上させる電子機器に関する。
【背景技術】
【０００２】
ファクシミリ装置、プリンタ、複写装置等の画像形成装置等の電子機器においては、一般的に、その機能の向上に伴って操作が複雑化してきており、このような複雑化した操作の手助けをするために、操作方法を指示するデカル（表示ラベル）を画像形成装置等の電子機器の当該操作位置の近くに貼り付けることが行われている。
【０００３】
そして、従来の操作情報を提示するデカルは、主に、絵情報であったり、簡略的な一文のみの表記である。
【０００４】
そして、従来、表示すべきデカルをタッチパネルにより選択可能として、選択されたデカルの情報を表示手段に表示させる技術が提案されている（特許文献１参照）。
【０００５】
また、従来、人体の一部が操作スイッチに近接している状態を検出し、特定された操作スイッチの操作内容を示す音声情報を、スピーカから出力し、また、特定された操作スイッチの操作内容を示す表示情報を表示出力する（特許文献２参照）。
【０００６】
【特許文献１】特開２００３−２５５７７２号公報
【特許文献２】特開２００１−２１０１６９号公報
【発明の開示】
【発明が解決しようとする課題】
【０００７】
しかしながら、上記従来技術にあっては、ユーザに操作情報を提示するデカルは、絵情報が主体、または、簡略的な一文のみの表記であったため、ユーザ側ではその詳細を把握することができず、適切な処理が行われない場合があった。その詳細をユーザが知るためには、操作パネル上のメニューツリーの中から探し出すか、ユーザマニュアルから探し出すしか方法が無く、非常に非効率であり、利用性が悪いという問題があった。
【０００８】
そこで、本発明は、簡単な絵や文字情報のデカルの貼り付けられている部分にユーザが手等を近づけたり接触させたりするだけで、当該デカルの詳細情報を表示出力／音声出力して、ユーザが操作上の詳細情報を表示部のメニューツリーの中から探し出すことなく、必要なデカル詳細情報を提示し、操作性・利用性を向上させる電子機器を提供することを目的としている。
【０００９】
具体的には、請求項１記載の発明は、ユーザが操作する必要のある箇所に簡単な絵あるいは／及び文字で操作情報を示すデカル毎に設けられた人体検知手段が、当該デカル付近への人体の接近または／及び当該デカルへの人体の接触を検知すると、当該人体を検知した人体検知手段の設けられているデカルに対応するデカル詳細情報を、表示手段及び／または音声ガイダンス手段から出力するデカル情報出力処理を実行することにより、操作を行うべき位置付近に貼付されているデカル付近にユーザが手等を近づけたり接触させたりするだけで、当該デカルの詳細情報を表示出力／音声出力し、ユーザが操作上の詳細情報を表示部のメニューツリーの中から探し出すことなく、必要なデカル詳細情報を提示して、操作性・利用性を向上させる電子機器を提供することを目的としている。
【００１０】
請求項２記載の発明は、音声ガイダンス手段によるデカル詳細情報の音声出力機能の有効／無効を選択する音声ガイダンス選択手段で有効が選択されているときにのみ、当該音声ガイダンス手段によるデカル詳細情報の音声出力を行うことにより、音声ガイダンスを利用することで、表示手段に表示されるデカル詳細情報を読むことなく操作を行えるようにするとともに、音声ガイダンスの出力／非出力をユーザが選択できるようにし、利用性をより一層向上させる電子機器を提供することを目的としている。
【００１１】
請求項３記載の発明は、電子機器としての画像形成装置の高温・高圧・清掃等のユーザに操作上の注意を促すデカル及び用紙ジャム解除を行うためのジャム解除レバーの操作位置を指示するデカルのデカル詳細情報については、表示手段及び音声ガイダンス手段の双方から出力することにより、操作の安全と適切な操作を必要とする場合のデカル詳細情報を確実かつ適切に伝達し、安全性、操作性をより一層向上させる電子機器を提供することを目的としている。
【００１２】
請求項４記載の発明は、デカルを、絵情報を主体とするデカルとすることにより、文字を記載しないことで、電子機器の利用される国毎にデカルの印刷を行う無駄を省き、コストを削減して、安価に操作性を向上させる電子機器を提供することを目的としている。
【００１３】
請求項５記載の発明は、デカル情報出力処理機能の有効／無効を選択する選択手段での選択に応じてデカル情報出力処理の実行／非実行を制御することにより、貼付されているデカルのみで操作を適切に行えるユーザに対して、不必要なデカル詳細情報の表示や音声ガイダンスを省き、操作時間を短縮させるとともに、消費電力を削減する電子機器を提供することを目的としている。
【課題を解決するための手段】
【００１４】
請求項１記載の発明の電子機器は、ユーザが操作する必要のある箇所に簡単な絵あるいは／及び文字で操作情報を示すデカルの貼付される電子機器において、デカルの詳細情報を表示する表示手段と、デカルの詳細情報を音声出力する音声ガイダンス手段と、を備え、前記各デカル毎に、当該デカル付近への人体の接近または／及び当該デカルへの人体の接触を検知する人体検知手段が設けられ、前記人体検知手段が人体を検出すると、当該人体を検知した人体検知手段の設けられている前記デカルに対応する前記デカル詳細情報を、前記表示手段及び／または前記音声ガイダンス手段から出力するデカル情報出力処理を実行することにより、上記目的を達成している。
【００１５】
この場合、例えば、請求項２に記載するように、前記電子機器は、前記音声ガイダンス手段によるデカル詳細情報の音声出力機能の有効／無効を選択する音声ガイダンス選択手段を備え、当該音声ガイダンス選択手段で有効が選択されているときにのみ、当該音声ガイダンス手段によるデカル詳細情報の音声出力を行うものであってもよい。
【００１６】
また、例えば、請求項３に記載するように、前記電子機器は、用紙に画像を形成出力する画像形成装置であり、高温・高圧・清掃等のユーザに操作上の注意を促すデカル及び用紙ジャム解除を行うためのジャム解除レバーの操作位置を指示するデカルのデカル詳細情報については、前記表示手段及び前記音声ガイダンス手段の双方から出力するものであってもよい。
【００１７】
さらに、例えば、請求項４に記載するように、前記デカルは、絵情報を主体とするデカルであってもよい。
【００１８】
また、例えば、請求項５に記載するように、前記電子機器は、前記デカル情報出力処理機能の有効／無効を選択する選択手段を備え、当該選択手段での選択に応じて前記デカル情報出力処理の実行／非実行を制御するものであってもよい。
【発明の効果】
【００１９】
請求項１記載の発明の電子機器によれば、ユーザが操作する必要のある箇所に簡単な絵あるいは／及び文字で操作情報を示すデカル毎に設けられた人体検知手段が、当該デカル付近への人体の接近または／及び当該デカルへの人体の接触を検知すると、当該人体を検知した人体検知手段の設けられているデカルに対応するデカル詳細情報を、表示手段及び／または音声ガイダンス手段から出力するデカル情報出力処理を実行するので、操作を行うべき位置付近に貼付されているデカル付近にユーザが手等を近づけたり接触させたりするだけで、当該デカルの詳細情報を表示出力／音声出力することができ、ユーザが操作上の詳細情報を表示部のメニューツリーの中から探し出すことなく、必要なデカル詳細情報を提示して、操作性・利用性を向上させることができる。
【００２０】
請求項２記載の発明の電子機器によれば、音声ガイダンス手段によるデカル詳細情報の音声出力機能の有効／無効を選択する音声ガイダンス選択手段で有効が選択されているときにのみ、当該音声ガイダンス手段によるデカル詳細情報の音声出力を行うので、音声ガイダンスを利用することで、表示手段に表示されるデカル詳細情報を読むことなく操作を行えるようにすることができるとともに、音声ガイダンスの出力／非出力をユーザが選択することができ、利用性をより一層向上させることができる。
【００２１】
請求項３記載の発明の電子機器によれば、電子機器としての画像形成装置の高温・高圧・清掃等のユーザに操作上の注意を促すデカル及び用紙ジャム解除を行うためのジャム解除レバーの操作位置を指示するデカルのデカル詳細情報については、表示手段及び音声ガイダンス手段の双方から出力するので、操作の安全と適切な操作を必要とする場合のデカル詳細情報を確実かつ適切に伝達することができ、安全性、操作性をより一層向上させることができる。
【００２２】
請求項４記載の発明の電子機器によれば、デカルを、絵情報を主体とするデカルとしているので、文字を記載しないことで、電子機器の利用される国毎にデカルの印刷を行う無駄を省くことができ、コストを削減して、安価に操作性を向上させることができる。
【００２３】
請求項５記載の発明の電子機器によれば、デカル情報出力処理機能の有効／無効を選択する選択手段での選択に応じてデカル情報出力処理の実行／非実行を制御するので、貼付されているデカルのみで操作を適切に行えるユーザに対して、不必要なデカル詳細情報の表示や音声ガイダンスを省くことができ、操作時間を短縮させることができるとともに、消費電力を削減することができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１〜図５は、本発明の電子機器の一実施例を示す図であり、図１は、本発明の電子機器の一実施例を適用した複写装置等の画像形成装置１のブロック構成図である。
【００２６】
図１において、電子機器としての画像形成装置１は、プリンタエンジンを含む画像読取形成部２、画像読取形成部２に対して各種指示を入力する操作部３及び画像読取形成部２に対して各種サイズの用紙を供給する第１給紙部４、第２給紙部５、第３給紙部６、第４給紙部７等を備えている。
【００２７】
操作部（音声ガイダンス選択手段、選択手段）３は、テンキーやスタートキー等の各種操作キーを備えるとともに、ディスプレイ（例えば、液晶ディスプレイ）やＬＥＤ（Light Emitting Diode）、音声またはビープ音を出力するスピーカ（音声ガイダンス手段）等を備え、操作キーからは、コピー操作等の各種命令が入力され、ディスプレイ（表示手段）には、操作キーから入力された命令内容や画像形成装置１からオペレータに通知する各種情報が表示される。
【００２８】
画像読取形成部２は、その上部に、画像読取部として、原稿のセットされるコンタクトガラス（図示略）が配設されており、当該コンタクトガラス上にＡＤＦ（Auto Document Feeder）が配設されている。ＡＤＦは、コンタクトガラス上にセットされた原稿をコンタクトガラスに押しつける圧板に取り付けられており、セットされた複数枚の原稿を１枚ずつコンタクトガラス上に搬送する。画像読取形成部２には、このコンタクトガラス上への原稿のセットの有無を検出する原稿有無センサ、セットされた原稿のサイズを検出する原稿サイズ検知センサ１２（図２参照）、ＡＤＦの開閉すなわち圧板の開閉を検出する圧板開閉検知センサ１１（図２参照）等の各種センサが設けられている。
【００２９】
画像読取形成部２は、その画像読取部で、コンタクトガラス上の原稿を光学的に主走査及び副走査して当該原稿の画像を読み取る。
【００３０】
また、画像読取形成部２は、例えば、電子写真方式の画像形成部を備え、その画像形成部は、画像読取部で読み取った原稿の画像またはネットワーク等を介して外部から取得した画像に基づいて用紙に画像を形成する。
【００３１】
そして、画像形成装置１は、図２に示すように、回路ブロック構成されており、主制御回路１０、上記圧板開閉検知センサ１１、原稿サイズ検知センサ１２、第１給紙制御回路１３、第２給紙制御回路１４、第３給紙制御回路１５、第４給紙制御回路１６、操作部制御回路１７、温度センサ１８、圧力センサ１９及び赤外線センサ２０等を備えている。
【００３２】
主制御回路１０は、ＲＯＭ（Read Only Memory）、ＲＡＭ（Random Access Memory）、Ｉ／Ｏ（入出力）ポート及びＣＰＵ（Central Processing Unit ）等を備え、ＣＰＵがＲＯＭ内のプログラムやデータを使用してＲＡＭをワークメモリとして利用して画像形成装置１の各部を制御して、画像形成装置１としての処理を実行するとともに、後述するデカル情報出力処理を実行する。
【００３３】
圧板開閉検知センサ１１は、画像読取形成部２のＡＤＦのコンタクトガラス上の原稿をコンタクトガラスに押しつける圧板の開閉を検知して、検知結果を主制御回路１０に出力し、原稿サイズ検知センサ１２は、コンタクトガラス上の原稿サイズを検知して、検知結果を主制御回路１０に出力する。この圧板開閉検知センサ１１は、例えば、光透過型の光センサが用いられており、当該光センサの光の遮断の有無に基づいて圧板の開閉を検知する。また、原稿サイズ検知センサ１２は、例えば、反射型フォトセンサが用いられており、コンタクトガラス上の原稿からの光センサの光の反射に基づいてコンタクトガラス上の原稿サイズを検知する。
【００３４】
第１給紙制御回路１３〜第４給紙制御回路１６は、それぞれ上記第１給紙部４〜第４給紙部７の動作を主制御回路１０の制御下で制御する。具体的には、第１給紙制御回路１３〜第４給紙制御回路１６は、それぞれ第１給紙部４〜第４給紙部７にセットされている用紙の用紙サイズを検出する用紙サイズセンサ（図示略）等からの各種信号を受け取るとともに、主制御回路１０から制御信号を受け取って、給紙に必要な動作を行うモータ、クラッチ、ソレノイド等のアクチュエータを駆動するための制御信号を第１給紙部４〜第４給紙部７に出力して、第１給紙部４〜第４給紙部７の動作を制御する。
【００３５】
操作部制御回路１７は、操作部３の操作内容を主制御回路１０に出力し、主制御回路１０からの表示データや点灯制御信号を操作部３に出力して、操作部３の操作制御及び点灯・表示制御を行う。
【００３６】
温度センサ１８は、人体の体温を検知して電気信号に変換して、検知結果を主制御回路１０に出力し、圧力センサ１９は、圧力、例えば、人の指等による押圧力を検知して、検知結果を主制御回路１０に出力する。
【００３７】
赤外線センサ２０は、人体の体温から発生される赤外線を検知して電気信号に変換し、検知結果を主制御回路１０に出力する。
【００３８】
そして、上記温度センサ１８、圧力センサ１９及び赤外線センサ２０は、図３に示すように、一体構造として、デカル部３０に組み込まれており、人体検知手段として機能している。デカル部３０の表面部（画像形成装置１の外表面側）には、デカルである表示ラベル３１が取り付けられており、この表示ラベル３１を含めてデカル部３０を構成している。
【００３９】
デカル部３０は、人体検知手段としての表示ラベル３１、温度センサ１８、圧力センサ１９及び赤外線センサ２０が順次画像形成装置１の外表面側から内部方向に並んで配設されており、表示ラベル３１、温度センサ１８及び圧力センサ１９には、それぞれ対応する位置に、図３に矢印で示すように、赤外線センサ２０に赤外線を取り込むための貫通穴３１ａ、１８ａ、１９ａが形成されている。
【００４０】
図３において、温度センサ１８及び圧力センサ１９には、温度センサ１８及び圧力センサ１９を主制御回路１０に接続するためのフィルムハーネス１８ｂ、１９ｂが接続されており、また、赤外線センサ２０には、赤外線センサ２０を主制御回路１０に接続するためのハーネス２０ａが接続されている。
【００４１】
表示ラベル３１は、絵または／及び文字で画像形成装置１の操作上の各種情報が印刷されており、図４に示すように、画像形成装置１の各部に当該各部での操作上必要な各種情報を示す絵または／及び文字の情報が印刷された表示ラベル３１が貼付されている。特に、表示ラベル３１は、絵のみで構成されたデカルとなっている。
【００４２】
そして、この表示ラベル３１と一体となったデカル部３０が当該貼付位置に組み込まれている。
【００４３】
そして、画像形成装置１は、このデカル部３０の貼付位置での操作に必要な各種操作情報を主制御回路１０内のメモリまたは図示しないハードディスク等のメモリに格納しており、主制御回路１０の制御下で操作情報を読み出して、操作部３のディスプレイに表示出力し、また、必要に応じて上記スピーカから音声出力するデカル情報出力処理を行う。また、画像形成装置１は、このデカル部３０での各センサ１８〜２０の検出結果に基づいて操作情報の表示や音声出力を行うデカル情報出力処理機能のオン／オフを操作部３のキー操作で適宜選択することができ、この選択結果に応じてデカル情報出力処理の実行／非実行を制御する。さらに、画像形成装置１は、デカル情報出力処理で、デカル情報（操作情報）を音声出力するか、すなわち、音声ガイダンスを出力するか否かを操作部３の選択操作で選択することができ、この選択結果に応じてデカル情報の音声出力（音声ガイダンス出力）を行うか否か制御する。
【００４４】
次に、本実施例の作用を説明する。本実施例の画像形成装置１は、デカルである表示ラベル３１部分に人体の接近／接触を検知する温度センサ１８、圧力センサ１９、赤外線センサ２０を組み込んだデカル部３０を画像形成装置１の各種操作を必要とする部分に配設し、デカル部３０の検知結果に応じて当該位置のデカル部３０での操作に必要な操作情報（デカル詳細情報）を操作部３のディスプレイに表示出力し、また、必要に応じて音声出力する。
【００４５】
すなわち、画像形成装置１は、図５に示すように、デカル情報出力処理機能（図５では、デカル類表示モード）がオンに設定されているかチェックして（ステップＳ１０１）、オフに設定されているときには、以下に説明する人体検知に基づくデカル情報の出力処理を行わない。
【００４６】
したがって、画像形成装置１に異常が発生したり、各種メンテナンスを行う場合等のように画像形成装置１を正常に戻すための操作を促された際等において、ユーザが画像形成装置１を正常に戻すための操作を熟知し、補助的機能であるデカル情報出力処理機能を必要しないと判断した場合には、デカル類の操作詳細情報を伝達する補助的機能を省くことができ、利用性を向上させることができる。
【００４７】
ステップＳ１０１で、デカル情報出力処理機能がオンに設定されていると、画像形成装置１の各部に設けられている複数のデカル部３０のうち、いずれかのデカル部３０の各センサ１８〜２０が人体を検出したか（ステップＳ１０２〜Ｓ１０４）、すなわち、体温からの赤外線を赤外線センサ２０が検出したか（ステップＳ１０２）、温度センサ１８が人体からの体温を検知したか（ステップＳ１０３）、圧力センサ１９がデカル部３０、特に、表示ラベル３１への接触による圧力を検知したか（ステップＳ１０４）をチェックし、いずれのセンサ１８〜２０も人体を検知しないときには、ステップＳ１０２に戻って、各センサ１８〜２０のいずれかが人体を検知するかチェックする（ステップＳ１０２〜Ｓ１０４）。
【００４８】
ステップＳ１０２〜ステップＳ１０４で、いずれかのデカル部３０の各センサ１８〜２０のうち少なくとも１つが人体を検知すると、画像形成装置１は、操作部３のディスプレイに当該デカル部３０に対応するデカル詳細情報である操作情報をメモリから読み出して表示し（ステップＳ１０５）、音声ガイダンスの出力が選択されているかチェックする（ステップＳ１０６）。
【００４９】
ステップＳ１０６で、音声ガイダンス出力が選択されていると、画像形成装置１は、デカル詳細情報の音声ガイダンス情報をメモリから読み出して、スピーカから音声ガイダンスの音声出力を行い（ステップＳ１０７）、表示及び音声出力の終了が操作部３の操作で選択されたかチェックして、表示及び音声出力の終了が選択されるまで、デカル情報の表示出力及び音声ガイダンスの出力を継続する（ステップＳ１０８）。
【００５０】
ステップＳ１０６で、音声ガイダンス出力が選択されていないときには、画像形成装置１は、音声ガイダンスの出力を行うことなく、表示出力の終了が操作部３の操作で選択操作されたかチェックして、表示出力の終了が選択されるまで、デカル情報の表示出力を継続する（ステップＳ１０８）。なお、操作部３上で音声ガイダンスの無効が選択されている場合であっても、高温・高圧・清掃等のユーザに操作方法の注意を促すためのデカルについては、操作対象の注意事項のみ、また、用紙ジャム解除を行うためのジャム解除レバーの操作位置を指示するためのデカルについては操作位置を指示する事項のみのデカル詳細情報を音声ガイダンを音声出力する。
【００５１】
ステップＳ１０８で、表示出力及び音声出力の終了、または、表示出力の終了が選択されると、画像形成装置１は、画像形成可能状態に移行したかチェックし（ステップＳ１０９）、画像形成可能状態に移行していないときには、ステップＳ１０２に戻って、各センサ１８〜２０が人体を検出したか否かから上記同様に処理する（ステップＳ１０１〜Ｓ１０９）。
【００５２】
ステップＳ１０９で、画像形成可能状態に移行すると、画像形成装置１は、操作部３のディスプレイへの表示を通常表示に切り換えて、処理を終了する（ステップＳ１１０）。
【００５３】
このように、本実施例の画像形成装置１は、ユーザが操作する必要のある箇所に簡単な絵で操作情報を示す表示ラベル３１毎に設けられた温度センサ１８、圧力センサ１９及び赤外線センサ２０のデカル部３０が、当該表示ラベル３１付近への人体の接近または／及び表示ラベル３１への人体の接触を検知すると、当該人体を検知したデカル部３０の設けられているデカルに対応するデカル詳細情報を、操作部３のディスプレイへ表示出力し、または／及びスピーカから音声出力するデカル情報出力処理を実行している。
【００５４】
したがって、操作を行うべき位置付近に貼付されている表示ラベル３１付近にユーザが手等を近づけたり接触させたりするだけで、当該表示ラベル３１の詳細情報を表示出力／音声出力することができ、ユーザが操作上の詳細情報を操作部３のディスプレイのメニューツリーの中から探し出すことなく、必要なデカル詳細情報を提示して、操作性・利用性を向上させることができる。
【００５５】
また、本実施例の画像形成装置１は、スピーカによるデカル詳細情報の音声出力機能の有効が操作部３で選択されているときにのみ、デカル詳細情報の音声出力を行っている。
【００５６】
したがって、音声ガイダンスを利用することで、操作部３のディスプレイに表示されるデカル詳細情報を読むことなく操作を行えるようにすることができるとともに、音声ガイダンスの出力／非出力をユーザが選択することができ、利用性をより一層向上させることができる。
【００５７】
さらに、本実施例の画像形成装置１は、高温・高圧・清掃等のユーザに操作上の注意を促すデカル及び用紙ジャム解除を行うためのジャム解除レバーの操作位置を指示するデカルのデカル詳細情報については、操作部３のディスプレイへの表示及びスピーカからの音声出力の双方を行っている。
【００５８】
したがって、操作の安全と適切な操作を必要とする場合のデカル詳細情報を確実かつ適切に伝達することができ、安全性、操作性をより一層向上させることができる。
【００５９】
また、本実施例の画像形成装置１は、デカルを、絵情報を主体とするデカルとしている。
【００６０】
したがって、文字を記載しないことで、画像形成装置１の利用される国毎にデカルの印刷を行う無駄を省くことができ、コストを削減して、安価に操作性を向上させることができる。
【００６１】
さらに、本実施例の画像形成装置１は、操作部３でのデカル情報出力処理機能の有効／無効の選択に応じてデカル情報出力処理の実行／非実行を制御している。
【００６２】
したがって、貼付されているデカルのみで操作を適切に行えるユーザに対して、不必要なデカル詳細情報の表示や音声ガイダンスを省くことができ、操作時間を短縮させることができるとともに、消費電力を削減することができる。
【００６３】
以上、本発明者によってなされた発明を好適な実施例に基づき具体的に説明したが、本発明は上記のものに限定されるものではなく、その要旨を逸脱しない範囲で種々変更可能であることはいうまでもない。
【００６４】
例えば、上記説明では、電子機器として画像形成装置１に適用した場合について説明したが、電子機器としては、画像形成装置１に限るものではなく、操作情報の提示を必要とする電子機器一般に適用することができる。
【産業上の利用可能性】
【００６５】
操作等に必要な情報を絵文字等で表示するデカル付近での人体の検知結果に応じて当該デカル部分での操作に必要なデカル情報を表示出力、音声出力して、デカルをユーザに対して効率良くかつその内容を確実に伝達する電子機器に適用することができる。
【図面の簡単な説明】
【００６６】
【図１】本発明の電子機器の一実施例を適用した画像形成装置のブロック構成図。
【図２】図１の画像形成装置の要部回路ブロック構成図。
【図３】図１の画像形成装置に配設されるデカル部の概略構成斜視図。
【図４】図３のデカル部の図１の画像形成装置への配設状態の説明図。
【図５】図１の画像形成装置によるデカル情報出力処理を示すフローチャート。
【符号の説明】
【００６７】
１  画像形成装置
２  画像読取形成部
３  操作部
４  第１給紙部
５  第２給紙部
６  第３給紙部
７  第４給紙部
１０  主制御回路
１１  圧板開閉検知センサ
１２  原稿サイズ検知センサ
１３  第１給紙制御回路
１４  第２給紙制御回路
１５  第３給紙制御回路
１６  第４給紙制御回路
１７  操作部制御回路
１８  温度センサ
１９  圧力センサ
２０  赤外線センサ
３０  デカル部
３１  表示ラベル
３１ａ、１８ａ、１９ａ  貫通穴
１８ｂ、１９ｂ  フィルムハーネス
２０ａ  ハーネス
【図１】
2006030359.tif 000003
【図２】
2006030359.tif 000004
【図３】
2006030359.tif 000005
【図４】
2006030359.tif 000006
【図５】
2006030359.tif 000007